【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
モバイルコンピューティングデバイスにおいて実行される、拡張された場所に基づくデータを補足及び修正するための方法であって、
拡張された場所に基づくデータを前記モバイルコンピューティングデバイスのディスプレイ上に表示するステップと、
市民の責務の宣伝及びビジネス上の利益の宣伝によって、フィードバックを提出するインセンティブをユーザーに付与するステップと、
拡張データにおける欠落した情報と間違った情報のうちの少なくとも１つに関連するユーザーフィードバックを、前記モバイルコンピューティングデバイスに関連する入力デバイスを通じて受け取るステップと、
フィードバックを提出した第１のユーザーに非金銭的な報奨を即座に発行するステップと、
第２のユーザーから受け取られた前記拡張された場所に基づくデータに関連する場所の画像に対してテキスト抽出を利用することによって、前記ユーザーフィードバックを検証するステップと、
前記フィードバックの受け取り時における前記第１のユーザーの場所を提出することによって、前記第１のユーザーからの前記フィードバックを更に検証するステップと、
前記モバイルコンピューティングデバイスのプロセッサーにおいて前記拡張された場所に基づくデータを改訂するステップと、
前記改訂後の拡張された場所に基づくデータを前記モバイルコンピューティングデバイスの前記ディスプレイ上に表示するステップと、
前記第１のユーザーに金銭的な報奨を付与するステップと、
前記ユーザーフィードバックが前記第２のユーザーによって修正された場合に、
前記モバイルコンピューティングデバイスの前記プロセッサーにおいて前記修正後のユーザーフィードバックを検証するステップと、
前記モバイルコンピューティングデバイスの前記プロセッサーにおいて前記拡張された場所に基づくデータを修正するステップと、
前記修正後の拡張された場所に基づくデータを前記モバイルコンピューティングデバイスの前記ディスプレイ上に表示するステップと、
前記フィードバックを提出した前記第１のユーザーへの前記金銭的及び非金銭的な報奨を取り消すステップと、
前記フィードバックを修正した前記第２のユーザーに報奨を付与するステップと、
を含む方法。
【請求項２】
前記改訂後の拡張された場所に基づくデータを他のユーザーのモバイルコンピューティングデバイスのディスプレイ上に表示した後に前記他のユーザーからフィードバックを受け取るステップを更に含む、請求項１に記載の方法。
【請求項３】
ユーザーが「宝探し」形式の拡張現実ゲーム、及び直接的な提出に対する報奨に参加することを可能にすることによって、フィードバックを提出する更なるインセンティブをユーザーに付与するステップを更に含む、請求項１に記載の方法。
【請求項４】
前記報奨は、クーポン、割引、サービスへのアクセス権、特典、現金、及びポイントベースの報奨システムにおけるポイントからなる一群のうちの少なくとも１つを含む、請求項３に記載の方法。
【請求項５】
前記ユーザーフィードバックを検証する前記ステップは、提出を行うユーザーを認証するステップ、及び提出を行うユーザーを「信頼できるユーザー」のグループの一員として確認するステップからなる一群のうちの少なくとも１つを含む、請求項１に記載の方法。
【請求項６】
前記ユーザーが提出した画像中にキャプチャーされている店舗に関連するウェブサイトをクロールすることによって前記ユーザーフィードバックを検証するステップを更に含む、請求項５に記載の方法。
【請求項７】
拡張された場所情報を補足及び修正するためのシステムであって、
選択された場所に関する地図、衛星画像、及びパノラマ的なストリートビュー画像からなる一群のうちの少なくとも１つを含む拡張された場所情報を提供する場所サービスをホストするように構成された第１のサーバーと、
データ収集サービスをホストするように構成された第２のサーバーと、
を含み、
前記データ収集サービスは、
第１のユーザーが「宝探し」形式の拡張現実ゲームに参加することを可能にすること、市民の責務を宣伝すること、及びビジネス上の利益を宣伝することによって、前記表示された拡張された場所情報に関連するフィードバックを提出するインセンティブをユーザーに付与し、
フィードバックを提出した前記第１のユーザーに非金銭的な報奨を即座に発行し、
前記第１のユーザーを認証すること、前記第１のユーザーを「信頼できるユーザー」のグループの一員として確認すること、全地球測位サービス（ＧＰＳ）に基づく入力、携帯電話基地局の三角測量に基づく入力、及び前記第１のユーザーに関連付けられた無線データネットワーク位置のうちの１つ又は複数を通じて、前記第１のユーザーの提出時における場所を確認すること、他のユーザーからのフィードバック、及び前記第１のユーザーから場所の画像を受け取ること、からなる一群のうちの少なくとも１つに基づいて前記フィードバックを検証し、
前記拡張された場所情報を改訂し、
前記改訂後の拡張された場所情報を表示し、
修正フィードバックが第２のユーザーから受け取られて検証された場合に、前記第１のユーザーに発行された前記非金銭的な報奨を取り消して、前記修正フィードバックを提出した前記第２のユーザーに報奨を付与し、
そうでない場合に、前記非金銭的な報奨を金銭的な報奨に変換することによって前記第１のユーザーに報奨を付与する
ように適応されている、
システム。
【請求項８】
前記データ収集サービスは、更に、案内の提供により他のユーザーが関心対象のエリアに関連するフィードバックを提出するのを促進するように適応されている、請求項７に記載のシステム。
【請求項９】
拡張された場所情報を補足及び修正するためのシステムであって、前記システムは１つ又は複数のサーバーを備え、前記１つ又は複数のサーバーは、
「宝探し」形式の拡張現実ゲーム、市民の責務の宣伝、及びビジネス上の利益の宣伝によって、前記表示された拡張された場所情報に関連するフィードバックを提出するインセンティブをユーザーに付与し、
前記フィードバックを提出するためのオプションを有するモバイルデバイス上で前記拡張された場所情報を表示することによってフィードバックを可能とし、前記フィードバックを提出するための前記オプションは、テキスト入力、カメラに基づく入力、コンパスに基づく入力、タッチに基づく入力、及び全地球測位サービス（ＧＰＳ）に基づく入力からなる一群のうちの少なくとも１つを含み、
フィードバックを提出した第１のユーザーに非金銭的な報奨を即座に発行し、
第２のユーザーから受け取られた前記拡張された場所に基づくデータに関連する場所の画像に対してテキスト抽出を利用することによって、並びに、全地球測位サービス（ＧＰＳ）に基づく入力、携帯電話基地局の三角測量に基づく入力、及び前記第１のユーザーに関連付けられた無線データネットワーク位置のうちの１つ又は複数を通じて、前記第１のユーザーの提出時における場所を確認することによって、前記第１のユーザーからの前記フィードバックを検証し、
前記拡張された場所情報を改訂し、
前記改訂後の拡張された場所情報を表示し、
前記改訂に関連する修正フィードバックが前記第２のユーザーから受け取られた場合に、前記修正フィードバックを検証し、
前記第１のユーザーに発行された前記非金銭的な報奨を取り消して、前記修正フィードバックを提出した前記第２のユーザーに報奨を付与し、
前記改訂後の拡張された場所情報を修正し、
前記修正後の拡張された場所情報を表示する、
ように構成される、システム。
【請求項１０】
前記１つ又は複数のサーバーは、更に、
前記第１のユーザーに対する前記非金銭的な報奨を金銭的な報奨に変換するように構成される、請求項９に記載のコンピューター読み取り可能記憶媒体。